(57)【要約】【課題】  可視情報を実用に耐え得る速度で画像として書き込み、消去でき、必要に応じてその内容を音声情報としても再生できる情報表示カードおよびそのカードを用いた情報表示システムを提供すること。【解決手段】  情報表示カード及び情報表示システムは、書き換え可能な可視情報表示手段と音声再生手段を備えた情報表示カードにおいて、前記音声再生手段が前記可視情報表示手段に表示される情報を音声に変換し出力する音声変換手段を有することを特徴とする情報表示カードとその情報表示カードを用いた情報表示システムを用いる。【選択図】        図１３
2006212911.tif 000002
【特許請求の範囲】
【請求項１】
書き換え可能な可視情報表示手段と音声再生手段を備えた情報表示カードにおいて、前記音声再生手段が前記可視情報表示手段に表示される情報を音声に変換し出力する音声変換手段を有することを特徴とする情報表示カード。
【請求項２】
前記可視情報表示手段が磁性粉またはロイコ系染料を主成分とする可視情報表示部を有することを特徴とする請求項１に記載の情報表示カード。
【請求項３】
前記可視情報表示手段がカラー表示の書き換え可能な可視情報表示手段であることを特徴とする請求項２に記載の情報表示カード。
【請求項４】
筆記具で書き込める記載部分が設けられていることを特徴とする請求項１乃至３の何れか１項に記載の情報表示カード。
【請求項５】
不可逆的に固有情報を記録できる情報表示手段を設けたことを特徴とする請求項１乃至４の何れか１項に記載の情報表示カード。
【請求項６】
前記不可逆的に固有情報を記録できる情報表示手段がホログラム形成層または回折格子形成層を有することを特徴とする請求項５に記載の情報表示カード。
【請求項７】
不可視情報記録手段を備えたことを特徴とする請求項１乃至６の何れか１項に記載の情報表示カード。
【請求項８】
前記不可視情報記録手段が磁気記録層を有することを特徴とする請求項７に記載の情報表示カード。
【請求項９】
前記不可視情報記録手段が追記型光記録層を有することを特徴とする請求項７に記載の情報表示カード。
【請求項１０】
前記不可視情報記録手段がＩＣ（集積回路）を有することを特徴とする請求項７に記載の情報表示カード。
【請求項１１】
情報表示カードの一面に前記可視情報表示手段と音声再生手段が配置された部分を有し、他方の面に前記不可視情報記録手段が配置された部分を有することを特徴とする請求項７乃至１０の何れか１項に記載の情報表示カード。
【請求項１２】
情報表示カードの表面に前記可視情報表示手段が配置された部分、前記不可視情報記録手段が配置された部分および音声再生手段が配置された部分を有することを特徴とする請求項７乃至１０の何れか１項に記載の情報表示カード。
【請求項１３】
情報表示カードの表面に前記可視情報表示手段が配置された部分があり、裏面に前記不可視情報記録手段が配置された部分を有する積層構成になっていることを特徴とする請求項７乃至１０のいずれか１項に記載の情報表示カード。
【請求項１４】
リーダーライターを備え、請求項１乃至１３のいずれか１項に記載の情報表示カードが備える可視情報表示手段に、前記リーダーライターが保有するデータが電気信号で書き込まれることを特徴とする情報表示システム。
【請求項１５】
外部情報機器及びリーダーライターを備え、前記外部情報機器からデータが赤外線で前記リーダーライターに転送され、請求項１乃至１３のいずれか１項に記載の情報表示カードが備える可視情報表示手段に、前記リーダーライターから前記データが電気信号で書き込まれることを特徴とする情報表示システム。
【発明の詳細な説明】
【技術分野】
【０００１】
本発明は情報表示カードおよびそれを用いた情報表示システムに関する。
【背景技術】
【０００２】
近年、省資源、リサイクルに対する関心が高まっている中で、紙などの記録媒体を繰り返して利用できることが望まれている。このような技術開発に対する取り組みにおいては、簡易な手段によって省エネルギーによる記録、消去が可能なリライタブルな表示・記録材料が注目されている。この種の可逆性記録表示材料は、記録媒体をリサイクルするということから、様々な応用が可能である。
【０００３】
一方、一時的な画像形成が行なえ、不要となったときにはその画像の消去ができるような、すなわち表面に情報が可視的に表示され、かつ情報の書き換えが可能なリライトカードの開発が行なわれ、近年市場で会員カード、ＩＤカード、ポイントカード等として使用されている。
【０００４】
また、画像として可視的に表示しかつ書き換え可能とする技術は、分子構造内にラクトン環を持ち、電子放出によりラクトン環を開環させて構造変化をもたらし発色を呈する電子供与性化合物（いわゆるロイコ染料）と、顕減色剤として酸・塩基化合物との間で、加熱温度及び／又は加熱後の冷却速度の違いにより相対的に発色した状態と消色した状態を形成させることによって発現するものであり、例えばこのような電子供与性化合物と顕減色剤とを主成分として樹脂母材中に含有させてなる可逆性感熱記録層が支持体上に設けられてなる可逆性記録材料をリライトカードとしたものが提案されている（例えば、特許文献１、２参照。）。
【０００５】
同様に、ハニカム構造のセル中に白色の液体と黒色の磁性粉を混合したものを入れ、磁気ペン又は磁気ヘッドで文字又は図形等の画像を、一方向に吸引した磁性粉で表示する磁性粉表示技術は、ホワイトボードの替わりとして既に導入されているものである。また、リライタブルカードとしては、マイクロカプセル化したセルをＰＥＴフィルム上にバインダーを介して塗布した構成を採用し、磁気ペン等でマイクロカプセル内の磁性粉を移動させて、文字等の画像を表示させるようにしたものが提案されている（例えば、特許文献３、４参照。）。
【０００６】
また、このような可逆性記録材料が有する、情報を可視的に表示しかつ書き換え可能とする機能は、従来からある情報記録カードの欠点である不可視情報が判らないという不満を充分補填できるものとして注目され、画像表示手段として情報を可視的に表示しかつ書き換え可能とする機能と、情報記憶手段として情報を記録し書き換え可能とする機能の双方を合わせ持つカードが開発され、最近市場で使われ始めている。（例えば、特許文献５、６参照。）
【特許文献１】特開平２−１８８２９３号公報
【特許文献２】特開平２−１８８２９４号公報
【特許文献３】特開平５−１６５７５号公報
【特許文献４】特開平９−２３１５５３号公報
【特許文献５】特開２０００−１３７７８２号公報
【特許文献６】特開平９−２２３２０７号公報
【発明の開示】
【発明が解決しようとする課題】
【０００７】
ところが、上記従来技術によると、表面に情報が可視的に表示され、かつ情報の書き換えが可能なリライトカードを使用する場合に、視覚に障害をもつ人が使用することに対しては、何ら配慮されていない。従って、視覚に障害を持つ人は使用できず、また使用する場合には健常者の助けを得なければならない。また、カードの読み取り装置側に音声案内を設けることも提案されているがこれでは大きな読み取り装置を設置することになり、コスト高となってしまう。更に、このようなユニバーサルデザインでないカードシステムでは、視覚障害のある人の購買意欲を減退させる可能性がある。このように、従来のリライト部を有する情報表示カードおよびそのシステムは視覚障害者に対する視点に欠けるという課題があった。
【０００８】
そこで、本発明の目的は、可視情報を実用に耐え得る速度で画像として書き込み、消去でき、必要に応じてその内容を音声情報としても再生できる情報表示カードおよびそのカードを用いた情報表示システムを提供することにある。
【課題を解決するための手段】
【０００９】
本発明の目的は、以下の手段により達成できる。
【００１０】
請求項１に係る情報表示カードは、書き換え可能な可視情報表示手段と音声再生手段を備えた情報表示カードにおいて、前記音声再生手段が前記可視情報表示手段に表示される情報を音声に変換し出力する音声変換手段を有することを特徴とするものである。
【００１１】
請求項２に係る情報表示カードは、請求項１に記載の情報表示カードにおいて、前記可視情報表示手段が磁性粉またはロイコ系染料を主成分とする可視情報表示部を有することを特徴とするものである。
【００１２】
請求項３に係る情報表示カードは、請求項２に記載の情報表示カードにおいて、前記可視情報表示手段がカラー表示の書き換え可能な可視情報表示手段であることを特徴とするものである。
【００１３】
請求項４に係る情報表示カードは、請求項１乃至３の何れか１項に記載の情報表示カードにおいて、筆記具で書き込める記載部分が設けられていることを特徴とするものである。
【００１４】
請求項５に係る情報表示カードは、請求項１乃至４の何れか１項に記載の情報表示カードにおいて、不可逆的に固有情報を記録できる情報表示手段を設けたことを特徴とするものである。
【００１５】
請求項６に係る情報表示カードは、請求項５に記載の情報表示カードにおいて、前記不可逆的に固有情報を記録できる情報表示手段がホログラム形成層または回折格子形成層を有することを特徴とするものである。
【００１６】
請求項７に係る情報表示カードは、請求項１乃至６の何れか１項に記載の情報表示カードにおいて、不可視情報記録手段を備えたことを特徴とするものである。
【００１７】
請求項８に係る情報表示カードは、請求項７に記載の情報表示カードにおいて、前記不可視情報記録手段が磁気記録層を有することを特徴とするものである。
【００１８】
請求項９に係る情報表示カードは、請求項７に記載の情報表示カードにおいて、前記不可視情報記録手段が追記型光記録層を有することを特徴とするものである。
【００１９】
請求項１０に係る情報表示カードは、請求項７に記載の情報表示カードにおいて、前記不可視情報記録手段がＩＣ（集積回路）を有することを特徴とするものである。
【００２０】
請求項１１に係る情報表示カードは、請求項７乃至１０の何れか１項に記載の情報表示カードにおいて、情報表示カードの一面に前記可視情報表示手段と音声再生手段が配置された部分を有し、他方の面に前記不可視情報記録手段が配置された部分を有することを特徴とするものである。
【００２１】
請求項１２に係る情報表示カードは、請求項７乃至１０の何れか１項に記載の情報表示カードにおいて、情報表示カードの表面に前記可視情報表示手段が配置された部分、前記不可視情報記録手段が配置された部分および音声再生手段が配置された部分を有することを特徴とするものである。
【００２２】
請求項１３に係る情報表示カードは、請求項７乃至１０のいずれか１項に記載の情報表示カードにおいて、情報表示カードの表面に前記可視情報表示手段が配置された部分があり、裏面に前記不可視情報記録手段が配置された部分を有する積層構成になっていることを特徴とするものである。
【００２３】
請求項１４に記載の情報表示システムは、請求項１乃至１３のいずれか１項に記載の情報表示カードが備える可視情報表示手段に、前記リーダーライターが保有するデータが電気信号で書き込まれることを特徴とするものである。
【００２４】
請求項１５に記載の情報表示システムは、外部情報機器及びリーダーライターを備え、前記外部情報機器からデータが赤外線で前記リーダーライターに転送され、請求項１乃至１３のいずれか１項に記載の情報表示カードが備える可視情報表示手段に、前記リーダーライターから前記データが電気信号で書き込まれることを特徴とするものである。
【発明の効果】
【００２５】
本発明によれば、本発明に係る情報表示カードが取得した可視情報を必要に応じて音声情報として再生できるので、目の不自由な人に対しても配慮された情報表示カードおよびそのカードを用いた情報表示システムを提供することができる。
【発明を実施するための最良の形態】
【００２６】
以上の目的を達成するため、本発明に係る情報表示カードは、書き換え可能な可視情報表示手段と音声再生手段とを備えている。両者は、たとえば、情報表示カードの表裏面にそれぞれ配置されるか、表面または裏面のいずれかに並べて配置されるか、積層して配置される。可視情報表示手段は、磁性粉を主成分とするかまたは、ロイコ染料と顕色剤として長鎖アルキル基を持つ電子受容性化合物とを主成分とし、情報の表示、追記、消去が可能である。音声再生手段は可視情報表示手段に表示される情報を音声に変換する音声変換手段を有する音声ＩＣモジュールと、前記音声ＩＣモジュールからの音声データを音声出力するスピーカとを備えたものである。
【００２７】
本発明によれば、情報表示カード上に書き換え可能な可視情報を表示することができ、その情報を音声として確認することができる。特に、可視情報表示手段に用いる可逆性記録材料として磁性粉または、ロイコ染料と顕色剤として長鎖アルキル基を持つ電子受容性化合物とを用いることで、記録情報に応じた磁界または熱を付与することによって所望の色を高速で表示することが可能であり、カラーの表示も行うことができる。また、逆磁場の印加や再加熱によって可視情報が消去され繰り返し書き込むことができる。
【００２８】
このような可視情報表示手段は磁気ヘッドによる磁界の印加やサーマルヘッドによる加熱によって、あるいはレーザービーム走査装置から照射される光エネルギーやマスクを介して露光されるフラッシュ光のエネルギーによって、あるいはホットスタンプから加えられる加熱によって、文字、数字、図形等が書き込まれる。また、磁気ヘッドのよる逆磁場の印加やヒートローラー等による全面加熱や全面露光による光エネルギーの照射等で可視情報が消去される。
【００２９】
本発明において、ポイントカードであれば、書き換え可能な可視情報表示手段に使用するごとに使用日やポイントの残高等が記録される。使用者は目視によって現在のポイント等を確認することができる。また、ポイントの使用日や残高等の可視情報を音声再生手段によっても確認することができる。
【００３０】
本発明において、不可視情報記録手段には、銀行用カードであれば、使用するごとに支払い金額や口座の残高等が記録される。また、可視情報表示手段には、同じく支払い金額や残高が表示され、使用者は目視によってこれらの情報を得ることができる。また、音声によっても可視情報を確認することができる。一方、プリペードカードであれば購入店や使用金額と残高が不可視情報記録手段に記録される。また、可視情報表示手段には、使用金額や残高が表示され、使用者は目視によって、または音声によってこれらの情報を得ることができる。
【００３１】
また、本発明によれば、駆動用電極あるいは偏光板等を必要とすることなく可視情報をカラーで表示することができ、構造が簡単であり、安価に製造することができる。特に、既に完成されている書き換え可能な情報表示カードに音声再生手段を圧接着すれば、極めて容易に本発明の情報表示カードとすることもできる。
【００３２】
本発明では磁性粉を液体中に分散させてマイクロカプセル化した微粒子を樹脂中に分散させて表示層としてもよい。これは、鉄、ニッケル、鉄−ニッケル合金、アルミニウム−コバルト合金、サマリウム−コバルト合金等の金属粉又は合金粉等の磁性粉で、粒径３〜１５μｍ程度、通常は保持力５００〔Ｏｅ〕以上の磁性粉をマイクロカプセル中に液体と共に充填して該液体に浮遊させることで、外部から与える磁場の方向に感応して整列した磁性粉からの反射光が変化して、可逆表示層としての反射濃度が変化して可視情報が表示できる仕組みである。すなわち、外部から水平磁場を与えれば磁性粉が水平配向して、外部からの入射光が磁性粉で反射して該磁性粉が呈する色が見え、外部から垂直磁場を与えれば磁性粉が垂直配向して、外部からの入射光は磁性粉ではなく、磁気マイクロカプセルを通過して下の層の色が見える。
【００３３】
さらに、本発明では、可視情報表示手段の表示層を磁性粉と低融点化合物や低軟化点樹脂との複合膜にて形成してもよい。この場合、書き込み及び消去は磁界と熱の併用で行なわれる。このような複合膜とすることで、表示層の機械的強度が高められ、媒体が曲げや摩擦に対して強くなる。さらに、この表示層には形状が一定したスぺーサーが含まれていてもよい。スペーサーを含有することで表示層の厚みを均一化することができ、かつ、磁気ヘッドとヒートローラーで可視情報を消去する場合に表示層の厚みを一定に維持できる。
【００３４】
使用可能なスぺーサーとしては、液晶パネル用として市販されている球形や板状の樹脂微粒子や無機微粒子が用いられる。
【００３５】
さらに、本発明では、可視情報表示手段の表示層上に保護層を設けてもよい。この保護層によって記録層が機械的あるいは化学的に外部から保護されることになる。
【００３６】
保護層に使用可能な材料としては、高分子樹脂溶液を塗布して塗膜を形成してもよいし、樹脂フィルムをラミネートしてもよい。また、無機材料の蒸着によって保護層を形成してもよいし、ゾル−ゲル法を用いて溶液を塗布して形成してもよい。
【００３７】
さらに、本発明に係る情報表示カードにあっては、表示層の一部を非可逆性記録領域とし、この領域に予め特定の情報を書き込んでおくこともできる。例えば、会社名や飾り図柄を予め書き込んでおくことで、特定のフォーマットされた記録媒体として使用することができる。
【００３８】
また、新たに固有の情報を記録表示し、固有情報記録部の改ざん、書き換えが出来ないものを提供することが出来る。
【００３９】
さらに、本発明に係る情報表示カードにあっては、表示層の一部に筆記具による記録表示領域を設け、この領域にサインや特定情報を個人的に書き込めるようにしておくこともできる。例えば、氏名や住所を記入する欄として使用することができる。
【００４０】
さらに、本発明に係る情報表示カードにあっては、表示層の一部にホログラム形成層ないし回折格子形成層を設け、この領域に予め特定の情報を書き込んでおくこともできる。このホログラム層は、二次元または三次元画像を再生可能な、表面凹凸パターン等で形成したものであり、また、物体光と参照光との光の干渉による強度分布を表面凹凸パターンとして記録しているレリーフホログラムを含むものが使用できる。レリーフ回折格子もまた表面凹凸パターンとして記録しているものである。これらレリーフホログラム、レリーフ回折格子は、表面凹凸部に情報を記録しているため、この凹凸部に反射層を設けて再生するものである。例えば、特定の図柄や文字を予め記録しておくことで、情報表示カードの偽造を困難なものとすることが出来る。
【００４１】
また、特定の情報表示カードの検出や照合に利用することもできる。
【００４２】
本発明に使用される書き換え可能な表示手段について以下に説明する。
【００４３】
まず、ロイコ染料を用いた書き換え可能な感熱記録層を用いた表示手段について説明する。感熱記録層の膜厚は１〜２０μｍの範囲がよく、より好ましくは３〜１５μｍである。また、記録層に含有させるロイコ染料としては以下に例示するが、本発明はこれらに限定されるものではない。また、ロイコ染料を単独または混合して用いることもできる。
【００４４】
２−アリニノ−３−メチル−６−ジエチルアミノフルオラン、２−アリニノ−３−メチル−６−ジ（ｎ−ブチルアミノ）フルオラン、２−アリニノ−３−メチル−６−（Ｎ−ｎ−プロピル−Ｎ−メチルアミノ）フルオラン、２−アリニノ−３−メチル−６−（Ｎ−イソプロピル−Ｎ−メチルアミノ）フルオラン、２−アリニノ−３−メチル−６−（Ｎ−イソブチル−Ｎ−メチルアミノ）フルオラン、２−アリニノ−３−メチル−６−（Ｎ−ｎ−アミル−Ｎ−メチルアミノ）フルオラン、２−アリニノ−３−メチル−６−（Ｎ−ｎ−アミル−Ｎ−エチルアミノ）フルオラン、２−アリニノ−３−メチル−６−（Ｎ−ｎ−シクロへキシル−Ｎ−メチルアミノ）フルオラン、２−アリニノ−３−メチル−６−（Ｎ−エチル−ｐ−トルイジノ）フルオラン、２−（ｍ−トリフルオロメチルアリニノ）−３−メチル−６−ジエチルアミノフルオラン、２−（ｍ−トリクロロメチルアリニノ）−３−メチル−６−ジエチルアミノフルオラン、２−アリニノ−６−（Ｎ−ｎ−へキシル−Ｎ−エチルアミノ）フルオラン、２−（ｏ−クロロアリニノ）−６−ジブチルアミノフルオラン、２，３−ジメチル−６−ジエチルアミノフルオラン、１，２−ベンゾ−６−ジエチルアミノフルオラン、３−ブロモ−６−シクロへキシルアミノフルオラン、３−（１−エチル−２−メチルインドール−３−イル）−３−（２−エトキシ−４−ジエチルアミノフェニル）−４−アザフタリド、３−（１−エチル−２−メチルインドール−３−イル）−３−（２−エトキシ−４−ジエチルアミノフェニル）−７−アザフタリド、３−（１−エチル−２−メチルインドール−３−イル）−３−（４−ジエチルアミノフェニル）−４−アザフタリド、３−（１−エチル−２−メチルインドール−３−イル）−３−（４−Ｎ−ｎ−アミル−Ｎ−メチルアミノフェニル）−４−アザフタリド、３，３−ビス（２−エトキシ−４−ジエチルアミノフェニル）−４−アザフタリド、３，３−ビス（２−エトキシ−４−ジエチルアミノフェニル）−７−アザフタリド。
【００４５】
本発明で用いる発色剤は前記フルオラン化合物、アザフタリド化合物のほかに、従来公知のロイコ染料を単独または混合して使用することができる。その発色剤としては、２−（ｐ−アセチルアニリノ）−６−（Ｎ−ｎ−アミル−Ｎ−ｎ−ブチルアミノ）フルオラン、２−ベンジルアミノ−６−（Ｎ−エチル−ｐ−トルイジノ）フルオラン、２−ベンジルアミノ−６−（Ｎ−エチル−２，４−ジメチルアミノ）フルオラン、２−ベンジルアミノ−６−（Ｎ−メチル−ｐ−トルイジノ）フルオラン、２−（α−フェニルエチルアミノ）−６−（Ｎ−エチル−ｐ−トルイジノ）フルオラン、２−メチルアミノ−６−（Ｎ−メチルアニリノ）フルオラン、２−エチルアミノ−６−（Ｎ−メチル−ｐ−トルイジノ）フルオラン、２−アミノ−６−（Ｎ−エチル−ｐ−トルイジノ）フルオラン、２−アミノ−６−（Ｎ−プロピル−２，４−ジメチルアニリノ）フルオラン、１，２−ベンゾ−６−（Ｎ−メチル−Ｎ−シクロへキシルアミノ）フルオラン、１，２−ベンゾ−６−ジブチルフルオラン、１，２−ベンゾ−６−（Ｎ−エチル−Ｎ−トルイジノ）フルオラン等。
【００４６】
本発明において好ましく用いられる他の発色剤の具体例を示すと以下の通りである。
【００４７】
２−アニリノ−３−メチル−６−（Ｎ−２−エトキシプロピル−Ｎ−エチルアミノ）フルオラン、２−（ｐ−クロロアニリノ）−６−（Ｎ−ｎ−オクチルアミノ）フルオラン、２−（ｏ−メトキシベンゾイルアミノ）−６−（Ｎ−メチル−ｐ−トルイジノ）フルオラン、２−ジベンジルアミノ−４−メチル−６−ジエチルアミノフルオラン、２−アセチルアミノ−６−（Ｎ−エチル−ｐ−トルイジノ）フルオラン、２−アニリノ−３−メチル−６−（Ｎ−メチル−ｐ−トルイジノ）フルオラン、２−エトキシエチルアミノ−３−クロロ−６−ジブチルアミノフルオラン、２−アニリノ−３−メチル−６−（Ｎ−エチル−Ｎ−テトラヒドロフルフリルアミノ）フルオラン、２−アニリノ−３−メチル−６−ピロリジノフルオラン、２−（α−ナフチルアミノ）−３，４−ベンゾ−４′−ブロモ−６−（Ｎ−ベンジル−Ｎ−シクロへキシルアミノ）フルオラン、２−ピペリジノ−６−ジエチルアミノフルオラン、１，２−ベンゾ−６−（Ｎ−エトキシエチル−Ｎ−エチルアミノ）フルオラン、ベンゾロイコメチレンブルー、３，３−ビス（ｐ−ジメチルアミノフェニル）フタリド、２−［（３，６−ジエチルアミノ）−９−（ｏ−クロロアニリノ）キサンチル］安息香酸ラクタム、３−（２−メトキシ−４−ジメチルアミノフェニル）−３−（２−ヒドロキシ−４−クロロ−５−メトキシフェニル）フタリド、３，６−ビス（ジメチルアミノ）フルオレンスピロ（９，３′）−６′−ジメチルアミノフタリド、６′−クロロ−８′−メトキシ−ベンゾインドリノ−スピロピラン、６′−ブロモ−２′−メトキシ−ベンゾインドリノ−スピロピラン等。
【００４８】
発色剤と組み合わせて用いられる顕色剤としては、長鎖脂肪族炭化水素基を持つ有機リン酸化合物、脂肪族カルボン酸化合物またはフェノール化合物等、分子内に発色剤を発色させることができる顕色能を持つ構造と分子凝集力をコントロールする構造を併せ持つ化合物が使用される。顕色能を持つ構造としては、フェノール性水酸基、カルボキシル基、リン酸基などの酸性の基が用いられるが、これらに限定されず、チオ尿素基、カルボン酸金属塩基など発色剤を発色できる基を持てばよい。
【００４９】
分子間の凝集力をコントロールする構造の代表例としては長鎖アルキル基等の炭化水素基などがある。この炭化水素基の炭素数は８以上であることが良好な発色・消色特性を得る上で好ましい。また、この炭化水素基には不飽和結合が含まれていてもよく、また分岐状の炭化水素基であってもよい。この場合も主鎖部分は炭素数８以上であることが好ましい。上記のように顕色剤は、顕色能を持つ構造と炭化水素基のような分子間の凝集力をコントロールする構造が連結した構造を持つ。この連結部分にはヘテロ原子を含む２価の基、または、これらの基が複数個組み合わせた基を挟んで結合していてもよい。
【００５０】
以下、本発明に用いられる顕色剤について具体的に例示する。なお、顕色剤は単独で用いてもよいし、２種類以上を混合して用いてもよい。
【００５１】
（ＯＨ）ｍ−Φ−Ｘ１−（Ｒ１−Ｘ２）ｎ−Ｒ２
式中、Φはフェニレン基を表す。Ｘ１はヘテロ原子を含む２価の基または直接結合を示し、Ｘ２はヘテロ原子を含む２価の基を示す。Ｒ１は２価の炭化水素基を表し、Ｒ２は炭素数１〜２２の炭化水素基を表す。また、ｎは０〜４の整数を表し、ｎが２〜４のとき繰り返されるＲ１およびＸ２は同一でも、異なっていてもよい。また、ｍは１〜３を表す。具体的には、Ｒ１およびＲ２は置換基を有してもよい炭化水素基を示し、これらは脂肪族炭化水素基でも方香族炭化水素基でもよく、また、これらの両方から構成される炭化水素基でもよい。また、脂肪族炭化水素基は、直鎖でも分岐していてもよく、不飽和結合を有していてもよい。炭化水素基につく置換基としては、水産基、ハロゲン原子、アルコキシ基等がある。なお、Ｒ１は直接結合でもよい。また、Ｒ１およびＲ２の炭素数の和が７以下では発色の安定性や消色性が低下するため、炭素数は８以上が好ましく、１１以上が特に好ましい。Ｘ１及びＸ２はヘテロ原子を含む２価の基を示し、好ましくは−ＮＨ−、−ＣＯ−、−Ｏ−、−ＳＯ2−、−Ｓ−の基を少なくとも１個以上有する２価の基を表す。
【００５２】
本発明のロイコ染料を用いた可逆性記録材料を用いた表示手段に発色画像を形成させるためには、一旦発色温度に加熱した後、急冷すればよい。
【００５３】
具体的には、たとえばサーマルヘッドやレーザー光で短時間加熱すると記録層が局所的に加熱されるため、直ちに熱が拡散し急激な冷却が起こり、発色状態が固定できる。
【００５４】
一方、消色させるためには適当な熱源を用いて比較的長時間加熱し冷却するか、発色温度よりやや高目の温度に加熱し、除冷すればよい。長時間加熱すると記録媒体の広い範囲が昇温し、その後の冷却は遅くなるため、その過程で消色が起きる。この場合の加熱方法には、熱ローラー、熱スタンプ、熱風、セラミックヒーターなどを用いてもよいし、サーマルヘッドを用いて長時間加熱してもよい。記録層を消色温度域に加熱するためには、例えばサーマルヘッドへの印加電圧やパルス幅を調節することによって、印加エネルギーを記録時よりやや向上させればよい。
【００５５】
この方法を用いれば、サーマルヘッドだけで記録・消去ができ、画像の消去と新しい画像の表示によりいわゆるオーバーライトが可能となる。記録装置としては、通常用いられるプリンター以外に熱転写プリンター、昇華型プリンターなどを用いてもよい。また、熱ローラー、熱スタンプによって消色温度域に加熱して消去することもできる。
【００５６】
また、画像の書き込みは、サーマルヘッド以外に、レーザービーム走査装置によるデジタル露光、マスクを介してのフラッシュ露光あるいはホットスタンプ等によって行うことができる。
【００５７】
次に、磁性粉を用いた磁気記録層からなる書き換え可能な表示手段について説明する。
【００５８】
磁気記録層の膜厚は３〜２００μｍの範囲がよく、より好ましくは１０〜１００μｍである。また、記録層に含有させる磁性粉材料としては以下に例示するが、本発明はこれらに限定されるものではない。また、色素や顔料等を混合して用いることもできる。
【００５９】
本発明では磁性粉を液体中に分散させてマイクロカプセル化した微粒子が用いられる。
【００６０】
また、磁気マイクロカプセル中の前記液体には、極性液体と疎水性液体との混合液体に熱可塑性樹脂を溶解した液体が用いられる。極性液体とは、ヒドロキシル基、カルボキシル基等の極性基を有するアルコール類、ケトン類、エステル類、カルボン酸類、アミノ化合物等であり、例えば、芳香族エステル、脂肪酸エステル等のエステル類であり、より具体的にはフタル酸ジメチル、フタル酸ジブチル、セバシン酸ジオクチル等である。疎水性液体とは、低揮発性の脂肪族や芳香族の炭化水素、及びこれらの混合物であり、ノーカボン複写用紙のマイクロカプセルに常用されるもの等である。また、熱可塑性樹脂としては、例えば、ポリビニルブチラール、ポリ酢酸ビニル等のビニル樹脂、アクリル樹脂、エチルセルロース等を液体中に２〜５０質量％程度溶解させてマイクロカプセル中の液体の粘度を適度なものとする。また、表示のコントラスト向上に着色剤を液体に添加することもできる。
【００６１】
そして、上記磁気マイクロカプセルは従来公知のマイクロカプセル化手法により形成し、磁気マイクロカプセルの粒径は体積平均で通常１０〜１００μｍである。また、磁気マイクロカプセルを分散保持して表示層とするバインダー樹脂は、マイクロカプセルを損傷から保護するものであり、成膜性や密着性等から、ポリビニルアルコール、ヒドロキシエチルセルロース、カルボキシメチルセルロース、ポリビニルピロリドン等の水溶性樹脂が一般的に使用できる。
【００６２】
次に、磁性粉と低融点化合物や低軟化点樹脂との複合膜を磁気記録層として用いる場合について説明する。
【００６３】
この場合、磁性粉を低融点化合物や低軟化点樹脂にスペーサー粒子とともに分散させた塗布液を塗布することによって磁気記録層が形成される。この磁気記録層上に記録層を保護するための透明保護層が設けられる。
【００６４】
低融点化合物としては、パラフィン系、ロジン系、エステル系、カルナバワックス等の各種ワックスが用いられる。このものは常温で固体であり、融点が３０〜１００℃のものが好ましい。
【００６５】
また、低軟化点樹脂としては、テルペン系樹脂、ロジン系樹脂、石油系樹脂や低分子量の合成樹脂が用いられる。これらのものは常温で固体であり、軟化点が３０〜１００℃のものが好ましい。
【００６６】
磁性粉が分散される媒体としては、磁性粉の移動が許容される第１の相及び磁性粉の移動が禁止される第２の相との間で相変化可能なものであればよく、高温において第１の相を呈し、低温において第２の相を呈する低温溶融体であっても良い。この場合、第１の相は、液相であり、第２の相は固相となる。このような媒体としては、低融点ワックスで代表されるような低温溶融体のほかに、グリセリン脂肪酸エステル等のコロイドや、ゾル−ゲル相変化（光・超音波・磁気振動・加熱電界・電解等による流動化も利用）を利用した寒天、ゼラチン、水酸化アルミニウム、水酸化第二鉄、ベントナイト等の不安定又は準安定ゲルを用いることもできる。
【００６７】
上記のような材料を用いて形成された磁気記録層は以下のようなシステムで画像形成、消去される。
【００６８】
まず、感熱ヘッドと磁気ヘッドを用い、表示しようとする画像の単位ドット（画素）に対応する位置に移動されるごとに、感熱ヘッドの通電電極に、所定時間だけ通電されることになる。この通電動作により、通電電極と電極層との間に通電されることになるが、抵抗層には、通電電極との接触部位に対応する抵抗層の領域にのみ通電され、この通電領域のみが発熱されることになる。
【００６９】
この結果、抵抗層の通電領域が発熱領域となり、この発熱領域に対応する低融点、低軟化点の部分が、この熱により溶融され、この部分に含まれる着色磁性粉が、磁気ヘッドと一体に移動する磁気ヘッドの磁力により、透明保護層に向けて移動させられることになる。
【００７０】
このようにして、移動した磁性粉（例えば黒色の場合）は透明保護層の内面に集合し、一つの画素における黒点を構成することになる。
【００７１】
このように、所定の画素に対応する部分において、黒点の呈色動作が完了するが、この後、隣接する次の画素に対応する部位に感熱ヘッド及び磁気ヘッドを副走査方向に沿って移動する。ここで、次の画素において、黒点の呈色動作を行う場合には、上記動作が同様に実施されることになる。一方、次の画素において、黒点の呈色動作を行わずに、地色としての白色を残しておく場合には、何ら、通電動作が実行されずに、更に次に隣接する画素に対応する部位に感熱ヘッド及び磁気ヘッドを移動する。
【００７２】
このように、１ライン分の表示動作を完了すると、感熱ヘッド及び磁気ヘッドを、元の開始位置に復帰させると共に、主走査方向に沿って１画素分だけ移動させる。そして、副走査方向に沿って、上記したと同様な表示動作を繰り返し実行する。このような動作を、表示部の全面に渡り実行することにより、表示部の全面に渡り、所定の画像が表示されることになる。
【００７３】
尚、既に所定の画像が表示された表示部においては、抵抗層の全面に渡り通電させて発熱させ、磁気記録層を全面に渡り加熱することにより溶融させ、このように低融点、低軟化点材料が全面に渡り溶融している間に、基層側に配置した永久磁石により、黒色磁性粉を基層側に移動させることにより、全ての黒色磁性粉は透明層から取り除かれることとなり、この結果、透明層には、何らの画像も表示されないことになる。即ち、この表示部上の画像は、消去されることになる。
【００７４】
支持体上に可逆性記録層を直接設けることもできるが、可逆性記録層を形成するための塗工液を構成する溶剤によって、支持体が溶け出して変形や収縮したり、強度が低下したりして、オーバーシートの機能を阻害することがあり、そのような場合には支持体上に先ずバリア層を設けてから、その上に可逆性記録層を形成することが好ましい。
【００７５】
バリア層を形成する方式には、耐溶剤性に優れた材料を塗工する方式と耐溶剤性に優れたフィルムをラミネートする方式がある。
【００７６】
バリア層は、可逆性記録層の形成用塗工液の溶剤に対して、耐性を有する材料から形成されることが好ましい。
【００７７】
加工性を考慮すると、アルコール系溶剤や水等に溶解又は分散可能な樹脂であることが更に好ましい。また、熱や光等によって硬化すると、有機溶剤に対するバリア性を増すようなものであることが更に好ましい。
【００７８】
具体的には、ポリアミド樹脂、ポリビニルアルコール樹脂、アルコール可溶性フェノール樹脂、ポリエステル樹脂、アクリル樹脂等が好ましいものとして挙げられる。
【００７９】
また、アクリルポリオール、ポリエステルポリオール等とイソシアネートの架橋によって形成されるポリウレタン樹脂、エポキシ樹脂等の熱硬化性樹脂や、ウレタンアクリレート、エポキシアクリレート等のオリゴマーからなるものを主成分とし、これに各種アクリレートモノマー、その他添加剤等を適宜混合した紫外線硬化性樹脂又は電子線硬化性樹脂を使用することもできる。
【００８０】
これらは水やアルコール系溶剤に溶解された溶液状態でもよいし、分散した状態でもよい。
【００８１】
この方式によって形成されるバリア層の厚みは、０．１〜１０μｍの範囲内であることが好ましい。
【００８２】
また、可逆性記録層の上に機械的耐久性を向上させる目的で保護層を形成することが好ましい。
【００８３】
保護層の膜厚は、０．１〜２０μｍの範囲が好ましく、より好ましくは０．３〜１０μｍである。
【００８４】
また、該保護層中には、劣化を防止する目的で無機または有機紫外線吸収剤を含有しても良く、その含有量はバインダー１００質量部に対して０．５〜５０質量部の範囲が好ましい。
【００８５】
保護層の塗液に用いられる溶媒、塗液の分散装置、バインダー、塗工方法、乾燥・硬化方法等は上記記録層で用いられた公知の方法を用いることができる。また、樹脂フィルムを貼り合せても構わない。
【００８６】
有機紫外線吸収剤としては、２−（２’−ヒドロキシ−５’−メチルフェニル）ベンゾトリアゾール、２−（２’−ヒドロキシ−５’−ｔ−ブチルフェニル）ベンゾトリアゾール、２−（２’−ヒドロキシ−３’，５’−ジ−ｔ−ブチルフェニル）ベンゾトリアゾール、２−（２’−ヒドロキシ−３’−ｔ−ブチル−５’−メチルフェニル）ベンゾトリアゾール、２−（２’−ヒドロキシ−５’−オクトキシフェニル）ベンゾトリアゾール、２−（２’−ヒドロキシ−３’，５’−ジ−ｔ−ブチルフェニル）−５−クロロベンゾトリアゾール、２−（２’−ヒドロキシ−３’−ｔ−ブチル−５’−メチルフェニル）−５−クロロベンゾトリアゾール、２−（２’−ヒドロキシ−５’−エトキシフェニル）ベンゾトリアゾール等のベンゾトリアゾール系紫外線吸収剤、２，４−ジヒドロキシベンゾフェノン、２−ヒドロキシ−４−メトキシベンゾフェノン、２−ヒドロキシ−４−ｎ−オクトキシベンゾフェノン、２−ヒドロキシ−４−ドデシルオキシベンゾフェノン、２，２’−ジヒドロキシ−４−メトキシベンゾフェノン、２，２’−ジヒドロキシ−４，４’−ジメトキシベンゾフェノン、２，２’，４，４’−テトラヒドロキシベンゾフェノン、２−ヒドロキシ−４−メトキシ−２’−カルボキシベンゾフェノン、２−ヒドロキシ−４−オキシベンジルベンゾフェノン、２−ヒドロキシ−４−クロロベンゾフェノン、２−ヒドロキシ−４−メトキシベンゾフェノン−５−スルホン酸、２−ヒドロキシ−４−メトキシベンゾフェノン−５−スルホン酸ナトリウム、２，２’−ジヒドロキシ−４，４’−ジメトキシベンゾフェノン−スルホン酸ナトリウム等のベンゾフェノン系紫外線吸収剤、フェニルサリシレート、ｐ−オクチルフェニルサリシレート、ｐ−ｔ−ブチルフェニルサリシレート、カルボキシフェニルサリシレート、メチルフェニルサリシレート、ドデシルフェニルサリシレート、２−エチルヘキシルフェニルサリシレート、ホモメンチルフェニルサリシレート等のサリチル酸エステル系紫外線吸収剤、２−エチルヘキシル−２−シアノ−３，３’ジフェニルアクリレート、エチル−２−シアノ−３，３’−ジフェニルアクリレート等のシアノアクリレート系紫外線吸収剤、ｐ−アミノ安息香酸、ｐ−アミノ安息香酸グリセリル、ｐ−ジメチルアミノ安息香酸アミル、ｐ−ジヒドロキシプロピル安息香酸エチル等のｐ−アミノ安息香酸系紫外線吸収剤、ｐ−メトキシケイ皮酸−２−エチルヘキシル、ｐ−メトキシケイ皮酸−２−エトキシエチル等のケイ皮酸系紫外線吸収剤、４−ｔ−ブチル−４’−メトキシ−ジベンゾイルメタン、ウロカニン酸、ウロカニン酸エチル等が挙げられる。
【００８７】
無機紫外線吸収剤としては、硫化亜鉛、酸化チタン、酸化セリウム、酸化スズ、酸化モリブデン、酸化亜鉛、窒化バリウム、シリカ、アルミナ、酸化アンチモン、酸化マグネシウム、酸化ジルコニウム、酸化バリウム、酸化カルシウム、酸化ストロンチウム、窒化珪素、窒化アルミニウム、窒化ホウ素、硫酸バリウム等が挙げられる。
【００８８】
保護層には、紫外線吸収性能または紫外線遮蔽性能を有しない他のフィラーをスティッキング防止や耐久性向上を目的に添加しても良く、フィラーとしては無機フィラーと有機フィラーに分けることができる。
【００８９】
無機フィラーとしては、炭酸カルシウム、炭酸マグネシウム、無水ケイ酸、含水ケイ酸、含水ケイ酸アルミ二ウム、含水ケイ酸カルシウム、アルミナ、酸化鉄、酸化カルシウム、酸化マグネシウム、酸化クロム、酸化マンガン、シリカ、タルク、マイカ、等が挙げられる。
【００９０】
有機フィラーとしては、シリコーン樹脂、セルロース樹脂、エポキシ樹脂、ナイロン樹脂、フェノール樹脂、ポリウレタン樹脂、ユリア樹脂、メラミン樹脂、ポリエステル樹脂、ポリカーボネイト樹脂、スチレン、ポリスチレン、ポリスチレン・イソプレン、スチレンビニルベンゼンなどのスチレン系樹脂、塩化ビニリデンアクリル、アクリルウレタン、エチレンアクリルなどのアクリル系樹脂、ポリエチレン樹脂、ベンゾグアナミンホルムアルデヒド、メラミンホルムアルデヒドなどのホルムアルデヒド系樹脂、ポリメチルメタクリレート樹脂、塩化ビニル樹脂等が挙げらる。本発明ではフィラーを単独で用いることもできるが、２種類以上含まれても良い。複数の場合、無機フィラーと有機フィラーの組み合わせ方について特に限定はされない。また、形状としては球状、粒状、板状、針状等が挙げられる。保護層中のフィラーの含有量は体積分率で５〜５０体積％である。
【００９１】
感熱ヘッドや磁気ヘッドへの融着防止を目的に、保護層に滑剤を添加しても良く、滑剤の具体例としては、エステルワックス、パラフィンワックス、ポリエチレンワックス等の合成ワックス類：硬化ひまし油等の植物性ワックス類：牛脂硬化油等の動物性ワックス類：ステアリルアルコール、ベヘニルアルコール等の高級アルコール類：マルガリン酸、ラウリン酸、ミスチレン酸、パルミチル酸、ステアリン酸、ベヘニン酸、フロメン酸等の高級脂肪酸類：ソルビタンの脂肪酸エステルなどの高級脂肪酸エステル類：ステアリン酸アミド、オレイン酸アミド、ラウリン酸アミド、エチレンビスステアリン酸アミド、メチレンビスステアリン酸アミド、メチロールステアリン酸アミド等のアミド類などが挙げられる。層中の滑剤の含有量は体積分率で０．１〜９５％、より好ましくは１〜７５％である。
【００９２】
本発明において、可逆性記録層と保護層との接着性向上、保護層の塗布による記録層の変質防止、保護層に含まれる添加剤が記録層へ移行する、あるいは、記録層に含まれる添加剤が保護層へ移行することを防止する目的で、両者の間に中間層を設けることができる。
【００９３】
中間層の膜厚は０．１〜２０μｍの範囲が好ましく、より好ましくは０．３〜１０μｍである。中間層の塗液に用いられる溶媒、塗液の分散装置、バインダー、塗工方法、乾燥・硬化方法等は上記記録層で用いられた公知の方法を用いることができる。
【００９４】
また、中間層には、劣化を防止する目的で、保護層に用いる上記無機または有機紫外線吸収剤を含有させて良く、その含有量はバインダー１００質量部に対して０．５〜５０質量部の範囲が好ましい。
【００９５】
次に、音声再生手段について説明する。音声再生手段は、可視情報表示手段に表示される情報を音声に変換する音声変換手段を有する音声ＩＣモジュールとスピーカーからなり、フィルム基板上に一体となって形成されている。
【００９６】
本発明では、音声ＩＣモジュールとスピーカーからなる音声再生手段をシート状基板間に接着する。また、その上に保護フィルムを接着する接着剤層は、本製造工程中の積層貼合時に接着力を保有するものが使用できる。通常は常温もしくは加熱した状態で加圧接着できるものである。ＥＶＡ系接着剤など一般的なヒートシーラーが使用できる。接着剤としては、例えば液状のアンカーコート剤、例えばポリウレタン系アンカーコート剤として東洋モートン（株）製のＥＬ−１５０（商品名）、又はＢＬＳ−２０８０ＡとＢＬＳ−２０８０Ｂの混合物が、ポリエステル系アンカーコート剤として同社製のＡＤ−５０３（商品名）を適用することができる。アンカーコート剤は秤量が０．５〜２５ｇ／ｍ2となるように塗布される。
【００９７】
音声再生手段をシート状基板間に粘着する粘着剤層の種類や厚さ（塗工層）は、被着体の種類や使用される環境、接着の強度等により種々選択が可能である。一般に用いられる水系もしくは溶剤系の粘着剤を塗工、乾燥して形成でき、天然ゴム系、合成ゴム系、アクリル系等が使用でき、これらの合成高分子粘着剤は、有機溶媒溶液や、ディスパージョンやエマルジョンといった水に分散された形態で使用可能である。
【００９８】
ＩＣ回路の凹凸の影響を受けないようにするため、接着層もしくは粘着層は、ＩＣ回路側に設ける。
【００９９】
接着層もしくは粘着層の主成分としては天然ゴム系、合成ゴム系、アクリル系、シリコーン系、ウレタン系、Ｓ−Ｉ−Ｓ−ブロックポリマー系、ＥＶＡ系の材料であることが好ましい。これらは、用途に応じて混合して使用したり、各種添加剤を加えてもよい。
【０１００】
本発明の情報表示カードは、必要に応じて粘着性もしくは接着性を有する面の上面に型紙等の剥離可能なシートを積層してもよい。
【０１０１】
また、接着面以外の面を易接着、撥水、撥油、帯電防止等、必要に応じて各種処理を施してもよい。
【０１０２】
音声ＩＣモジュールとスピーカーの回路基板は、フレキシブル電極基板で結合されて一体となっていて、薄型電池と接続されていてもよい。
【実施例】
【０１０３】
以下、本発明に係る情報表示カードおよびそのカードを用いたシステムについて、図面を参照して説明する。なお、以下に示す各実施例においては、具体的な物質名を挙げて説明を行っているが、これはあくまでも一つの実施例であり、本発明がこれらの物質に限られるものではなく、各種の材料を使用することが可能である。
（実施例１）
本発明の実施例１の情報表示カードは、図１に示すように、情報表示カード１の表面に書き換え可能な表示手段２、音声再生手段３、音声再生スイッチ５、裏面に不可視情報記録手段４を配置したものである。表示手段２および音声再生手段３の断面構造は図２に示すように、基板１１の表面に可逆性表示層１２を設けて保護層１５で被覆した表示手段２と、フレキシブル回路基板及び薄型電池６と、音声ＩＣモジュール８及びスピーカー７からなる音声再生手段３と、基板１１の裏面に磁気記録層２３を設けて保護層２５で被覆した不可視情報記録手段４とが設けられている。
【０１０４】
詳しくは、基板１１はＰＥＳでコートされた紙が使用されている。磁気記録層２３はγ−Ｆｅ2Ｏ3を１０質量部、塩化ビニル−酢酸ビニル−ビニルアルコール共重合体（ＵＣＣ社製：ＶＡＧＨ）を１０質量部、イソシアネート（日本ポリウレタン社製：コロネートＬ）２質量部を、メチルエチルケトン４０質量部とトルエン４０質量部の混合溶剤に分散させた後、この溶液を基板１１上にワイヤーバーで塗布して乾燥させ、約１０μｍの厚さに形成した。保護層１５は厚さ２μｍのアクリル系樹脂層からなる。
【０１０５】
一方、表示層１２は、ロイコ染料と長鎖アルキル化合物を主体とする層である。具体的には、ＨＯ−Φ−ＮＨＣＯ−（ＣＨ2）5−ＮＨＣＯＮＨ−（ＣＨ2）17ＣＨ3を４質量部、ジアルキル尿素（日本化成社製：ハクリーンＳＢ）１質量部、アクリルポリオール５０質量％溶液（三菱レーヨン社製：ＬＲ５０３）９質量部、テトラヒドロフラン７０質量部をサンドミルを用いて体積平均粒径が約０．５μｍになるまで分散させた。
【０１０６】
次に、２−アリニノ−３−メチル−６−ジブチルアミノフルオラン１質量部、イソシアネート（日本ポリウレタン社製：コロネートＨＬ）２質量部を上記の分散液に添加し、良く撹拌して表示層塗布液を調整した。この溶液を基板１１の反対面上にブレードによって塗布し、加熱乾燥させて厚さ１０μｍの可逆性表示層１２とした。保護層２９はウレタンアクリレート系紫外線硬化樹脂（大日本インキ社製：Ｃ７−１５７）１５質量部、フィラー（水澤化学社製：Ｐ５２７）５質量部、酢酸エチル８５質量部を溶解撹拌させた塗布液を厚さ２μｍとなるように塗布してＵＶ硬化させ、６０℃で１６時間エージングを行ない保護層を形成した。
【０１０７】
本実施例において、基板１１の融点は２００℃以上、保護層１５の結晶化温度は２００℃、表示層１２の融点は１５０℃以下であった。書き込み時および消去時に１５０℃以上に加熱されて表示層１２が液化するが、基板１１、保護層１５がそれらの融点以下の温度に維持しているので、それらの機械的強度が低下することはなく、サーマルヘッドから加えられる圧力に抗して表示層１２の厚みを保持できた。表示層１２に球状のスぺーサー（商品名）を混合し、厚みの維持をより確実にした。
【０１０８】
図３に本発明に係る情報表示カードに可視情報及び不可視情報を書き込むためのリーダーライターとしてのサーマルプリンターを示す。このプリンターはハウジング５０内に、記録媒体の進行方向Ｂに沿って、搬送ローラー５１、５２、サーマルヘッド５３、プラテン５４、冷却器５５、可視情報書き込みヘッド６１、不可視情報書き込みヘッド６２、搬送ローラー５６、５７が設置されている。
【０１０９】
情報表示カード１は、入り口５０ａからプリンター内に進入し、搬送ローラー５１、５２によってプラテン５４とサーマルヘッド５３の間に搬送され、ここで可視情報として可逆性表示層１２に画像が書き込まれる。サーマルヘッドからの加熱の停止後自然に急冷されて、書き込みの固体化が図られ、画像表示される。次に、不可視情報書き込みヘッド６２により不可視情報記録手段に不可視情報を記録し、可視情報書き込みヘッド６１により、音声ＩＣモジュールに可視情報が記録される。その後、情報表示カード１は搬送ローラー５６、５７によって出口５０ｂから排出される。
【０１１０】
なお、サーマルヘッド５３に設けられた発熱体が通過した後、記録媒体は自然冷却によって急冷されることになるので、表示層の冷却手段は本来不要であるが、より確実に動作を行わせるために、前記実施形態のように冷却器を設けたり、サーマルヘッド５３の下流に、今一つの冷却器を設けてもよい。
【０１１１】
次に、サーマルヘッドでフルカラー画像を印字する場合について説明する。
【０１１２】
サーマルヘッド５３は、図４に示すように、各色ごとの発熱体５３ｅ、５３ｂ、５３ｇ、５３ｒを記録媒体の進行方向Ｂに直交する矢印Ｃ方向に配置したものである。
【０１１３】
サーマルヘッド５３は、記録媒体の送り方向Ｂに直交する方向Ｃに、記録媒体の進行に同期して往復運動されるように構成されている。各発熱体５３ｅ、５３ｂ、５３ｇ、５３ｒは、Ｃ方向に移動しながら各色ごとの可視情報に基づいてオン、オフされ、発熱と非加熱とを繰り返すことにより、画素数に等しい数のラインずつ画像を表示層１２に書き込み、最終的に一枚のカラー画像を書き換え可能表示手段２上に再現する。なお、発熱体による書き込みは、温度の高い順で行うことが好ましい。なお、多色を１本の発熱体で書き込むことも可能であるが、温度制御が複雑になるので色分けして書き込むことが望ましい。
【０１１４】
また、書き込んだ表示の消去は、同様にサーマルプリンターを用いて消去用のサーマルヘッド５３によりロイコ染料の融点以上に加熱した後、除冷することにより表示層１２が透明となって、記録が消去される。消去部分は全面でも、一部分でもよい。
【０１１５】
リーダーライターにサーマルプリンターを用いたときの画像表示及びデータ転送のブロック図を図１３に示す。外部装置であるコンピューターやワードプロセッサー等で作成された文字、図形等の可視情報及び不可視情報をインターフェースを介して、データ受信部に転送する。インターフェースとしては、有線で電気信号を転送しても良いし、また、赤外線装置を用いて、転送しても良い。また、制御コマンドは、表示消去制御部に転送される。この制御部では、例えば記録モードであることを指示したり、可視情報サイズを指示したり、表示開始を指示したりするものである。
【０１１６】
情報表示カード１の不可視情報記録手段４に記録された不可視情報は、リーダーライターのデータ読み込み部に読み込み、リーダーライターのデータ保存部を介して外部装置にデータが転送される。外部装置で読み込んだデータを用いて、必要な演算処理等を行い、その後リーダーライターにデータ転送される。
【０１１７】
外部装置から転送された制御コマンドは、制御装置内で順次解釈され、可視情報は順次制御装置からビットイメージに対する電圧パルスとした電気信号としてサーマルヘッド５３からなる加熱手段に転送される。そして加熱手段に対応する発熱体に一定時間通電し、発熱させてそのジュール熱を表示層１２に伝達する。この結果、可視情報に対応して、書き換え可能表示手段２は表示を行う。一方、不可視情報は、磁気記録ヘッドからなる不可視情報書き込みヘッド６２により情報表示カード１の不可視情報記録手段に記録する。また、可視情報のデータは、可視情報書き込みヘッド６１と音声再生手段に設けられたデータ入力端子とを接触させ、可視情報を音声ＩＣモジュールの中の記憶部に記憶させる。
【０１１８】
以上のようにして情報表示カード１に可視情報に対応した画像の表示を行い、目視により情報確認ができる。
【０１１９】
次に音声による可視情報の確認方法について図１４のフローチャートを用いて説明する。情報表示カード１をリーダーライターに入れることにより、リーダーライターから可視情報が書き込まれる（ステップＳ１）。情報表示カード１の表示部には書き込まれた情報が可視情報として表示される（ステップＳ２）。次いで、情報表示カード１の所有者が、可視情報を音声として再生したいと望めば、情報表示カード１のスイッチ５を押すであろう。スイッチ５が押されていれば（ステップ３：ＹＥＳ）、音声ＩＣモジュール内にある音声変換手段が可視情報を音声情報に変換して（ステップＳ４）、スピーカ７から可視情報に相当する音声情報が出力される（ステップＳ５）。音声再生が終了すると自動的に電源がオフされるようになっている。この音声変換手段は、文字、数字データは、その文字、数字を音声に変え、図形データは、その図形に対応した音声をあらかじめ記憶させてある対応データから取り出すことができる。このため音声に変換できる図形データは、あらかじめ決められている。スイッチ５が押されていなければ（ステップ３：ＮＯ）音声情報は出力されない。
【０１２０】
このように制御することで、表示画像に対応した音声情報を再生することができ、画像認識できない人や画像認識できない環境でも、表示内容を確認することができる。
【０１２１】
音声情報は、可視情報表示部に表示される可視情報と略同一であれば良く、他に操作案内や注意を促す案内を付加することも出来る。また、可視情報表示の中の限定された内容であっても構わない。
【０１２２】
次に表示層１２の消去について説明する。表示層１２の消去モード時においては、制御コマンドが入ると、表示消去制御部でコマンド内容が解釈される。そのコマンド内容に従ってデータ作成部に消去パターンの指示を出す。表示消去制御部からの信号によって、データ作成部で作成された消去パターンデータは、消去通電制御部に転送され、消去通電制御部で画像消去信号が生成される。この画像消去信号がサーマルヘッド５３からなる加熱手段に転送され消去される。なお、上記消去通電制御部は消去時に必要な熱エネルギーをえるための通電パルス幅を設定するとともに、サーマルヘッド５３からなる加熱手段を制御するものであり、上記した表示消去制御部、データ作成部とで、消去制御手段を構成しているものである。表示消去制御部が制御コマンドを解釈してデータ作成部へ消去パターンを作成させているため、任意の範囲の消去が可能になるものである。
【０１２３】
図５に本発明に係る情報表示カードに可視情報及び不可視情報を書き込むためのリーダーライターとしての別のサーマルプリンターを示す。このプリンターはハウジング内に、カード１の進行方向Ｂに沿って、搬送ローラー５１、５２、ヒートローラー５８、５９、サーマルヘッド５３、プラテン５４、冷却器５５、可視情報書き込みヘッド６１、不可視情報書き込みヘッド６２、搬送ローラー５６、５７が設置されている。
【０１２４】
情報表示カード１は、入り口５０ａからプリンター内に進入し、搬送ローラー５１、５２からヒートローラー５８、５９へ送られ、ここで１５０℃以上に加熱され、除冷される。ここで初期化が行われ、書き込まれていた情報があれば消去される。次に、情報表示カード１はプラテン５４とサーマルヘッド５３の間に搬送され、ここで画像が書き込まれる。サーマルヘッド５３からの加熱の停止後自然に急冷されて、書き込みの固体化が図られ画像表示される。次に、不可視情報書き込みヘッド６２により不可視情報記録手段に不可視情報を記録し、可視情報書き込みヘッド６１により、音声ＩＣモジュールに可視情報が記録される。その後、可視情報カード１は搬送ローラー５６、５７によって出口５０ｂから排出される。
【０１２５】
なお、サーマルヘッドに設けられた発熱体が通過した後、記録媒体は自然冷却によって急冷されることになるので、表示層の冷却手段は本来不要であるが、より確実に動作を行わせるために、前記実施形態のように冷却器５５を設けたり、サーマルヘッドの下流に、今一つの冷却器を設けてもよい。
【０１２６】
この場合の画像表示について説明すると、可視情報の表示の場合は、前述のサーマルプリンターの場合と全く同様であるが、消去モードではヒートローラーによって全面が消去されるため、表示消去制御部からの信号が消去通電制御部に転送され、消去通電制御部でヒートローラーからなる加熱手段が制御され、表示画像が消去される。
【０１２７】
情報表示カード１に対しては、図６に示すレーザープリンターを使用して情報を書き込むことも出来る。この場合、レーザー光のエネルギーを熱に変換するため、熱変換層を設けることが望ましい。熱変換層はレーザー波長の光を吸収する吸収剤や赤外線吸収剤を添加して得られる。また、基板に赤外線吸収性の材料を用いてもよい。
【０１２８】
このレーザプリンタは青色、緑色及び赤色に書き込むための半導体レーザ、炭酸ガスレーザ、ＹＡＧレーザ等のレーザ６８ｂ、６８ｇ、６８ｒを駆動回路７０によって変調し、それぞれから放射されたレーザビームをコリメーターレンズ６９ｂ、６９ｇ、６９ｒを介してポリゴンミラー７１に入射する。ポリゴンミラー７１は矢印Ｅ方向に回転駆動され、この回転に基づいてレーザビームが偏向され、情報表示カード１の書き換え可能表示手段２上を直線状に走査し、情報表示カード１が矢印Ｄ方向に搬送されることで、二次元のカラー情報が書き込まれる。なお、図示されていないが、レーザプリンタにはｆθレンズ等の光学素子も当然設置されている。
【０１２９】
書き込む色はレーザーの放射エネルギーを制御することによって対応させる。従って、１個のレーザーを用いて、各色ごとにレーザービームのエネルギーを制御して書き込むことも可能である。しかし、複数個のレーザーを用いて色別に書き込みを行なった方がエネルギーの制御が容易である。
（実施例２）
本発明の実施例２の情報表示カード１の表面図を図７に示す。また図８にその断面図を示す。情報表示カード１の表面に書き換え可能な表示手段２、不可視情報記録手段４および音声再生手段３を設けたものである。
【０１３０】
すなわち、実施例２において、基板２１にはＰＥＴ（ポリエチレンテレフタレート）カードを使用している。不可視情報記録手段４は磁気記録層が形成されており、その材料および製法は前記実施例１と同じである。
【０１３１】
表示手段２は、図８に示すように、基板１１上に表示層１３を設け、表示層１３は磁性粉を液体中に分散させてマイクロカプセル化した微粒子をバインダー樹脂に分散させた分散層からなり、保護層１５が形成されている。
【０１３２】
実施例２では、表示層１３としてマイクロカプセル構造を持った微粒子が樹脂中に存在しているため、表示層１３の機械的強度が高く、曲げ、摩擦等の外力による損傷を最小限に抑えることができる。
【０１３３】
次に、表示層１３の材料および製法の具体例を以下に記載する。
【０１３４】
疎水化処理された平均粒径１μｍのフェライトの粉体粒子３質量部、疎水化処理された平均粒径１μｍの白色酸化チタン粉体１０質量部、沈降防止剤として微粉珪酸０．５質量部とをトルエンと２−エチル−１−ヘキサノールとを５：３の割合で混合した混合溶剤８６質量部に加え、アニオン系界面活性剤０．７質量部を加えて分散した。この分散液を５質量％ポリビニルアルコール水溶液２００質量部中に、ホモジナイザーを用いて、回転数１００００ｒｐｍで、平均粒径が５０μｍとなるように約５分間分散させた。１０質量％炭酸ナトリウム水溶液を滴下し、ｐＨを８〜９に調整した。液温を２５℃に冷却し、２０質量％尿素−ホルマリンプレポリマー水溶液２００質量部を添加し、酢酸を滴下しｐＨを４に調整した。その後、３０℃で３時間、５０℃で２時間反応を行ない、尿素−ホルマリン樹脂マイクロカプセルを得た。
【０１３５】
ＰＥＴ（ポリエチレンテレフタレート）シート上に、アンカー層を塗布し、上記の磁性粉を含有するマイクロカプセルに光重合開始剤ＤＡＲＯＣＵＲ１１７３（チバガイギー社製）を３質量％加えた芳香環を有する二官能アクリレートＲ７１２（日本化薬社製）とを質量比で８：２の割合で混合分散し、塗布液を調製した。この塗布液をアンカー層上に塗布し、その上に保護層１５として厚さ２μｍの透明ＰＥＴ（ポリエチレンテレフタレート）フィルムを重ね合わせた。
【０１３６】
次に、保護層１５を押圧しながら、０．０２ｍＷ／ｃｍ2の紫外線を１時間照射し、さらに、０．２５ｍＷ／ｃｍ2の紫外線を１時間照射することにより、厚さ１００μｍの複合膜を形成し、表示層１３とした。
【０１３７】
リーダーライターとしては、実施例１において、不可視情報書き込みヘッド６２を情報表示カードの表面に書き込めるよう可視情報書き込みヘッド６１と平行して配置した他は、同様の構成とした。また、音声による可視情報の確認方法についても実施例１と同様な方法を用いた。
【０１３８】
このように本発明における実施例２の情報表示カード１及び情報表示システムを用いることにより、目の不自由な人でもその表示内容を確認することができる。
（実施例３）
本発明の実施例３の情報表示カードは、図９に示したように、情報表示カード１の表面に可視情報として書き換え可能表示手段２、ホログラム表示手段９、音声再生スイッチ５、裏面に音声再生手段３、不可視情報記録手段４および筆記可能な部分１６を配置したものである。その断面構造は図１０に示すとおりである。基板１１の上に表示層１３、保護層１５で構成した表示手段２と、ホログラム表示手段９及び音声再生スイッチ５とがウレタン系接着剤層を介して貼り合わされている。
【０１３９】
詳しくは、書き換え可能表示手段２の基板１１は、ＰＥＳ（ポリエーテルスルホン）シートが使用されている。疎水化処理を施した平均粒径１μｍの磁性粒子１０質量部、疎水化処理を施した、平均粒径０．５μｍの酸化チタン５０質量部を、６０℃に加熱し融解したパラフィンワックス８０質量部にスペーサー粒子とともに均一に分散した。この磁性粉分散物をＰＥＳシート状に溶融塗布させて厚さ３０μｍの表示層１３とした。保護層１５は厚さ２μｍのアクリル系樹脂層からなる。
【０１４０】
ホログラム表示手段９は、一般に、反射性薄膜で金属、金属化合物、ガラス等を蒸着、スパッタ、イオンプレーティング、電界めっき、無電界めっき等の反射層１９とホログラムまたは回折格子層２０よりなる。ホログラムまたは回折格子層２０は、各種樹脂材料が選択可能である。具体的には、不飽和ポリエステル樹脂、アクリルウレタン樹脂、エポキシ変性アクリル樹脂、エポキシ変性不飽和ポリエステル樹脂、アクリル酸エステル樹脂、アクリルアミド樹脂、ニトロセルロース樹脂、ポリスチレン樹脂、アルキッド樹脂、フェノール樹脂等の内、１種ないし２種類以上を主体とする樹脂を単独、もしくは各種イソシアネート樹脂や、ナフテン酸コバルト、ナフテン酸鉛等の金属石鹸、ベンゾイルパーオキサイド、メチルエチルケトンフェノン、アントラキノン、ナフトキノン、アゾビスイソブチルニトリル、ジフェニルスルフィド等の熱あるいは紫外線硬化剤を添加したものを添加したものを用いることが出来る。この配合は、ガラス転移温度が熱転写時の温度よりも高くなるように配慮して調整し、具体的にはガラス転移温度が１００℃〜２００℃となるようにするのが好ましい。また、このホログラムまたは回折格子層２０は、公知の方法によりインキ塗布方法によって形成することが可能であるが、転写箔により形成する場合は０．５〜２μｍの厚さの範囲で形成することが好ましい。反射型の場合に用いられる反射層１９の具体例としては、Ａｌ、Ｃｒ、Ｎｉ、Ａｇ、Ａｕが好ましく、膜厚は１０〜１００００オングストローム、望ましくは２００〜２０００オングストロームである。
【０１４１】
一方、基板２１はポリカーボネートフィルムを使用した。一方、追記型光記録層は、基板２１上にＳｂ２Ｓｅ３とＢｉ２Ｔｅ３を順次蒸着して成膜した。保護層２９は厚さ２μｍのアクリル系樹脂層からなる。
【０１４２】
音声ＩＣモジュール８とスピーカー７からなる音声再生手段３は、薄型電池と接続され、フレキシブル基板６とともに基板２１上に一体的に接着している。
【０１４３】
筆記可能な部分１６はシリコン樹脂（東芝シリコーン社製：ＹＲ３３７０）に酸化チタンを分散させ、さらに触媒（東芝シリコーン社製：ＣＲ１５）を混合したイソプロピルアルコール溶液を厚さ５μｍに塗布し、硬化させたものである。
【０１４４】
保護層２９は厚さ２μｍのアクリル系樹脂層からなるホログラム表示手段９および筆記可能な部分１６を設けることで偽造、変造を防止することができる。
【０１４５】
リーダーライターとしては、実施例１において、可視情報書き込みヘッド６１を情報表示カードの裏面に書き込めるよう不可視情報書き込みヘッド６２と平行して配置し、不可視情報書き込みヘッド６２は、光書き込み装置とした他は、同様の構成とした。また、音声による可視情報の確認方法についても実施例１と同様な方法を用いた。
【０１４６】
このように本発明における実施例３の情報表示カード１及び情報表示システムを用いることにより、目の不自由な人でもその表示内容を確認することができるとともに追記情報の記載や書き換え不能な情報を載せることができる。
（実施例４）
本発明の実施例４の情報記示カードは、図１１に示したように、情報表示カード１の表面に可視情報表示手段２、不可視情報記録手段として接触式のＩＣモジュール４５およびホログラム表示手段９を、裏面に音声再生手段３、筆記可能な部分１６を配置したものである。
【０１４７】
接触式のＩＣモジュール４５、筆記可能な部分１６およびホログラム表示手段９を設けることによって偽造、変造を防止することができる。
【０１４８】
すなわち、実施例４において、接触式のＩＣモジュール４５は音声再生手段３と結合または一部兼用された構成になっており、外部から入力された情報をメモリー処理される。
【０１４９】
リーダーライターとしては、実施例１において、可視情報書き込みヘッド６１と不可視情報書き込みヘッド６２とを入れ替え、不可視情報記録手段への書き込みを情報表示カード１のＩＣモジュール４５と接触する端子を用いた他は、同様の構成とした。また、音声による可視情報の確認方法についても実施例１と同様な方法を用いた。
【０１５０】
このように本発明における実施例４の情報表示カード１及び情報表示システムを用いることにより、目の不自由な人でもその表示内容を確認することができるとともに追記情報の記載や書き換え不能な情報を載せることができる。
（実施例５）
本発明の実施例５の情報表示カードは、図１２に示したように、情報表示カード１の表面に可視情報表示手段２、不可視情報記録手段として接触式のＩＣモジュール４５およびホログラム表示手段９、音声再生手段３、筆記可能な部分１８を配置したものである。
【０１５１】
すなわち、実施例５において、不可視情報記録手段４は接触式のＩＣモジュールが使用され、その構成は実施例４と同じである。ここでは使用する薄型電池として太陽電池１８が用いられ、情報表示カード１の表面に設けられている。
【０１５２】
書き換え可能な表示手段２は、実施例１と同様であるが、可逆性感熱層は２層からなり２色表示が可能である。
【０１５３】
次に、材料および製法の具体例を以下に記載する。
すなわち、１，２−ベンゾ−６−（Ｎ−エチル−Ｎ−イソアミルアミノ）フルオラン１０質量部、ドコシルホスホン酸４５質量部、塩化ビニル−酢酸ビニル共重合体４５質量部をトルエン２００質量部、メチルエチルケトン２００質量部とともにサンドミルで分散し、粒径が０．５μｍとなる分散塗布液を得た。この塗布液をＰＥＴ（ポリエチレンテレフタレート）シート上に、厚さ１０μｍとなるように塗布して第一の可逆性感熱記録層を得た。次にこの上にポリビニルアルコールの１０質量％水溶液を塗布、乾燥して厚さ約２μｍの中間層を設けた。
【０１５４】
次に、２−（Ｎ−メチル）アニリノ−６−（Ｎ−エチル−ｐ−トルイジノ）フルオラン１０質量部、ヘキサデシルホスホン酸３５質量部、塩化ビニル−酢酸ビニル共重合体４５質量部をトルエン２００質量部、メチルエチルケトン２００質量部とともにサンドミルで分散し、粒径が０．５μｍとなる分散塗布液を得た。この塗布液を上記中間層上に、厚さ１０μｍとなるように塗布して第二の可逆性感熱記録層を得た。
【０１５５】
次に、上記感熱記録層上にウレタンアクリレート系紫外線硬化樹脂の７５質量％酢酸ブチル溶液（大日本インキ化学社製：ユニディックＣ７−１５７）９５質量部、炭酸カルシウム（粒径０．０３μｍ）４質量部、シリコンオイル（信越シリコーン社製：ＫＦ９６）０．５質量部を超音波分散させた塗布溶液を作製し、ワイヤーバーを用いて乾燥後の膜厚が２μｍとなるように塗布した後、紫外線を照射し、６０℃で２４時間乾燥させて硬化させ形成した。
【０１５６】
この記録媒体をヒートローラーで１２５℃に加熱、急冷して、記録層が全面的に発色した状態とするとあずき色を呈した。次に、サーマルヘッドで画像状に加熱し、印加電圧１３．３Ｖ、パルス幅１．６ｍｓｅｃの条件で加熱したところ、緑色に発色した。次に、印加電圧８．０Ｖ、パルス幅０．９ｍｓｅｃの条件で加熱したところ、赤色に発色した。このようにして印字条件を調整することにより赤と緑の画像を形成することができる。
【０１５７】
なお、本発明に係る情報表示カード１は前記実施形態に限定するものではなく、その要旨の範囲内で種々に変更することができる。
【０１５８】
特に、磁性粉またはロイコ系染料を主成分とする書き換え可能な可視情報表示手段と音声再生手段を有することで音声と表示の両方で確認でき、音声再生手段も薄型であれば種々のものを使用することが出来る。
【０１５９】
リーダーライターとしては、実施例４において、可視情報書き込みヘッド６１を情報表示カードの表面に書き込めるよう不可視情報書き込みヘッド６２と平行して配置した他は、同様の構成とした。また、音声による可視情報の確認方法についても実施例４と同様な方法を用いた。
【０１６０】
このように本発明における実施例５の情報表示カード１及び情報表示システムを用いることにより、目の不自由な人でもその表示内容を確認することができるとともに追記情報の記載や書き換え不能な情報を載せることができる。
【図面の簡単な説明】
【０１６１】
【図１】本発明の第一の実施形態である情報表示カードを示し、（Ａ）は表面図、（Ｂ）は裏面図である。
【図２】本発明の第一実施形態である情報表示カードを示す断面図。
【図３】本発明に使用されるサーマルプリンターの一例を示す概略構成図である。
【図４】本発明に使用されるサーマルプリンターのサーマルヘッドを示す平面図である。
【図５】本発明に使用されるサーマルプリンターの他の例を示す概略構成図である。
【図６】本発明で使用されるレーザープリンターを示す概略斜視図である。
【図７】本発明の第二の実施形態である情報表示カードの表面図を示す。
【図８】本発明の第二の実施形態である情報表示カードの断面図を示す。
【図９】本発明の第三実施形態である情報表示カードを示し、（Ａ）は表面図、（Ｂ）は裏面図である。
【図１０】本発明の第三の実施形態である情報表示カードの断面図を示す。
【図１１】本発明の第四の実施形態である情報表示カードを示し、（Ａ）は表面図、（Ｂ）は裏面図である。
【図１２】本発明の第五の実施形態である情報表示カードの表面図を示す。
【図１３】画像表示及びデータ転送のブロック図を示す。
【図１４】画像表示及び音声再生のフローチャートを示す。
【符号の説明】
【０１６２】
１  情報表示カード
２  書き換え可能表示手段
３  音声再生手段
４  不可視情報記録手段
５  音声再生スイッチ
６  フレキ接続電極基板および薄型電池
７  スピーカー
８  音声ＩＣモジュール
１１、２１  基板
１２、１３  表示層
２３  磁気記録層
１５、２５、２９  保護層
５０  ハウジング
５０ａ  入り口
５０ｂ  出口
５１、５２、５６、５７  搬送ローラ
５３  サーマルヘッド
５３ｅ、５３ｂ、５３ｇ、５３ｒ  発熱体
５４  プラテン
５５  冷却器
５８、５９  ヒートローラー
６１  可視情報書き込みヘッド６１
６２  不可視情報書き込みヘッド
６８ｂ、６８ｇ、６８ｒ  レーザ
６９ｂ、６９ｇ、６９ｒ  コリメーターレンズ
７０  駆動回路
７１ポリゴンミラー
９  ホログラム表示手段
１６  筆記可能な部分
２７  追記型光記録層
４５  接触式のＩＣモジュール
１８  太陽電池
【図１】
2006212911.tif 000003
【図２】
2006212911.tif 000004
【図３】
2006212911.tif 000005
【図４】
2006212911.tif 000006
【図５】
2006212911.tif 000007
【図６】
2006212911.tif 000008
【図７】
2006212911.tif 000009
【図８】
2006212911.tif 000010
【図９】
2006212911.tif 000011
【図１０】
2006212911.tif 000012
【図１１】
2006212911.tif 000013
【図１２】
2006212911.tif 000014
【図１３】
2006212911.tif 000015
【図１４】
2006212911.tif 000016